(57)【要約】【課題】メモリ回路への最大書き込み性能の数分の１のビットレートのフレームデータをメモリ回路に収録する場合に、収録に要する時間を短縮し得る素材収録装置を提供する。【解決手段】１フレーム周期における素材データの伝送路ＮＷへの送出に先立ち、フレームデータ抽出部１２で得られたフレームデータをフレームデータパッキング処理部１３によりバッファ１３１に一時保持し、１フレーム周期ごとにバッファ１３１が満杯になるか否かを判定し、満杯になった時点で、バッファ１３１内の１フレームとフレームデータの一部もしくは複数フレームを結合して一固まりのデータとして伝送路ＮＷに送出し、フレーム切り出し・再結合処理部１４にて伝送路ＮＷからのデータをフレーム単位で切り出してフレームごとにメモリ回路部１５に書き込むようにしている。【選択図】      図１
2009130402.tif 000002
【特許請求の範囲】
【請求項１】
送信側でフレーム生成部にてファイル構造の素材データからフレーム構造の素材データに変換して１フレーム周期で伝送路へ送出し、受信側で前記伝送路からの素材データを１フレームずつメモリ回路に書き込む素材収録装置において、
前記送信側は、
前記フレーム生成部で得られたフレーム構造の素材データを一時保持するバッファと、
１フレーム周期ごとに、前記バッファに保持される素材データ量が１フレームを超える基準量に達したか否かを判定し、基準量に達した場合に、前記バッファから前記素材データを読み出して前記伝送路に送出するデータパッキング処理部とを備え、
前記受信側は、
前記伝送路からの素材データをフレーム構造の素材データに再構成して前記メモリ回路に１フレームずつ書き込むフレーム切り出し再結合処理部とを備えたことを特徴とする素材収録装置。
【請求項２】
前記データパッキング処理部は、１フレーム周期ごとに、前記バッファが満杯になるか否かを判定し、満杯になった場合に、前記バッファから前記素材データを読み出して前記伝送路に送出することを特徴とする請求項１記載の素材収録装置。
【請求項３】
前記バッファの蓄積容量は、１フレーム周期で前記伝送路へ伝送可能なデータ量に相当することを特徴とする請求項１または２記載の素材収録装置。
【請求項４】
送信側でフレーム生成部にてファイル構造の素材データからフレーム構造の素材データに変換して１フレーム周期で伝送路へ送出し、受信側で前記伝送路からの素材データを１フレームずつメモリ回路に書き込む素材収録方法において、
前記送信側は、
前記フレーム生成部で得られたフレーム構造の素材データをバッファに一時保持し、
１フレーム周期ごとに、前記バッファに保持される素材データ量が１フレームを超える基準量に達したか否かを判定し、基準量に達した場合に、前記バッファから前記素材データを読み出して前記伝送路に送出し、
前記受信側は、
前記伝送路からの素材データをフレーム構造の素材データに再構成して前記メモリ回路に１フレームずつ書き込むことを特徴とする素材収録方法。
【発明の詳細な説明】
【技術分野】
【０００１】
この発明は、例えば放送番組の送出素材となる映像・音声データをメモリ回路に書き込む素材収録装置及び素材収録方法に関する。
【背景技術】
【０００２】
周知のように、放送局にあっては、放送番組の送出素材となる映像・音声データを素材収録装置のメモリ回路に収録しておき、再生指示に従って該当する素材を再生し、オンエアを行うようになっている。
【０００３】
ところで、１フレーム周期に1フレーム分のデータを収録する素材収録装置においては、メモリ回路への最大書き込み性能の数分の１のビットレートのフレームデータであっても収録に要する時間が短くならない。
【０００４】
なお、この種の問題に関連する従来技術として、特許文献１に、フレーム単位で結合されたビデオデータとオーディオデータが記憶装置の最小アクセス単位の記憶容量の整数倍を最小の記録単位とする階層構造を呈する構成が示されている。但し、この特許文献１に記載のものは、ビデオデータ及びオーディオデータをメモリに記録する際に、オーディオデータのチャンネル数や、ビデオデータの圧縮率とオーディオデータの圧縮率との関係などの種々の制約を問題としており、収録に要する時間の短縮を図るものではない。
【特許文献１】特開平４−２８５７７０公報。
【発明の開示】
【発明が解決しようとする課題】
【０００５】
以上のように、上記素材収録装置では、メモリ回路への最大書き込み性能の数分の１のビットレートのフレームデータをメモリ回路に収録する場合に、収録に要する時間を短縮する実現手段が未だに開発されていない。
【０００６】
そこで、この発明の目的は、メモリ回路への最大書き込み性能の数分の１のビットレートのフレームデータをメモリ回路に収録する場合に、収録に要する時間を短縮し得る素材収録装置及び素材収録方法を提供することにある。
【課題を解決するための手段】
【０００７】
上記目的を達成するために、この発明に係る素材収録装置は、送信側でフレーム生成部にてファイル構造の素材データからフレーム構造の素材データに変換して１フレーム周期で伝送路へ送出し、受信側で伝送路からの素材データを１フレームずつメモリ回路に書き込む素材収録装置において、送信側は、フレーム生成部で得られたフレーム構造の素材データを一時保持するバッファと、１フレーム周期ごとに、バッファに保持される素材データ量が１フレームを超える基準量に達したか否かを判定し、基準量に達した場合に、バッファから素材データを読み出して伝送路に送出するデータパッキング処理部とを備え、受信側は、伝送路からの素材データをフレーム構造の素材データに再構成してメモリ回路に１フレームずつ書き込むフレーム切り出し再結合処理部とを備えるようにしたものである。
【０００８】
この構成によれば、１フレーム周期における素材データの伝送路への送出に先立ち、フレーム作成部で得られたフレーム構造の素材データをバッファに一時保持し、１フレーム周期ごとにバッファに保持されるデータ量が１フレームを超える基準量に達したか否かを判定し、達した時点で、バッファ内の１フレームとフレームデータの一部もしくは複数フレームを結合して一固まりのデータとして伝送路に送出し、フレーム切り出し再結合処理部にて伝送路からのデータをフレーム単位で切り出してフレームごとにメモリ回路に書き込むようにしている。
【０００９】
したがって、収録に要する時間を短縮することが可能となる。
【発明の効果】
【００１０】
以上詳述したようにこの発明によれば、メモリ回路への最大書き込み性能の数分の１のビットレートのフレームデータをメモリ回路に収録する場合に、収録に要する時間を短縮し得る素材収録装置及び素材収録方法を提供することができる。
【発明を実施するための最良の形態】
【００１１】
以下、この発明の実施形態について図面を参照して詳細に説明する。  
図１は、この発明に係る素材収録装置の一実施形態を示すブロック図である。図１において、符号１１は映像・音声データ入力部で、映像・音声データをファイル形式で外部から入力する。そして、フレームデータ抽出部１２でファイルからフレーム単位の映像・音声データを抽出し、フレームデータパッキング処理部１３に出力する。
【００１２】
フレームデータパッキング処理部１３は、伝送路ＮＷに転送できる最大サイズのバッファ１３１を備え、バッファ１３１が満杯になるまでフレームデータを順次詰めていく。そして、バッファ１３１が一杯になったらバッファ１３１に保持されたデータを伝送路ＮＷへ送出する。
【００１３】
この伝送路ＮＷへ転送されたデータは、フレーム切り出し・再結合処理部１４によってフレームデータに再構成され、メモリ回路部１５に転送されてフレーム同期回路１６からのフレーム同期信号に従ってフレーム単位で書き込まれる。
【００１４】
なお、フレームデータパッキング処理部１３は、フレーム同期回路１６からフレーム同期信号が送られてくるごとに、バッファ１３１が満杯になるか否かの判定を行う。
【００１５】
上記構成において、以下に処理動作を説明する。  
図２は、1フレーム周期に1フレーム分のデータを記録する従来の収録装置である。ここで、フレームデータ作成部２１とメモリ回路部１５間のデータ転送の際に、１周期内に最大１ＭＢ（メガバイト）のデータを転送できるものとする。１０００フレームからなる素材データを収録する際、フレームデータのサイズが平均４００ＫＢ（キロバイト）であっても１フレーム周期内に１フレームしか書くことができず、メモリ回路部１５への収録が完了するまでに１０００フレーム周期かかる。
【００１６】
このため、フレーム数が同じであれば、ビットレートが高くても低くても、収録に要する時間は同じであった。
【００１７】
そこで、この実施形態では、バッファ１３１を利用してフレームデータのパッキング処理を行うようにしている。図３は、フレームデータのパッキング処理を説明したものである。メモリ回路部１５でのデータの管理単位がＭ（Ｍは自然数）バイトであった場合、効率よく処理するためにフレームデータ抽出部１２で各フレームデータを作成する際に、各フレームサイズがＭバイトの倍数になるようにする。
【００１８】
そして、フレームデータパッキング処理部１３は、図４に示すパッキング処理を実行する。
【００１９】
すなわち、フレームデータパッキング処理部１３は、バッファ１３１にＭバイト単位でフレームデータを格納していき（ステップＳＴ４ａ）、フレーム同期回路１６からのフレーム同期信号が入力されたか否かの判断を行う（ステップＳＴ４ｂ）。そして、フレーム同期信号が入力された場合に、バッファ１３１が満杯になったか否かの判断を行う（ステップＳＴ４ｃ）。
【００２０】
そして、バッファ１３１が満杯になったらフレーム切り出し・再結合処理部１４にバッファ内容を転送する（ステップＳＴ４ｄ）。バッファサイズが１ＭＢでフレームデータの平均サイズが４００ＫＢだった場合、バッファ１３１には平均２．５フレーム分のデータを格納できる。
【００２１】
なお、フレームデータパッキング処理部１３は、バッファ１３１が満杯になるまで、上記ステップＳＴ４ａ乃至ステップＳＴ４ｃの処理を繰り返し実行する。
【００２２】
図３の例の場合、１つ目のパックデータにはフレーム１〜２とフレーム３の前半部を格納し、２つ目のパックデータにはフレーム３の後半部とフレーム４〜５のデータを格納する。フレーム切り出し・再結合処理部１４では、受信したパックデータから各フレームデータを抽出し、部分フレームデータであった場合は次のパックデータで送られてくる残りの部分データと結合して１つのフレームデータにする。フレーム切り出し・再結合処理部１４で抽出した各フレームデータは、順次メモリ回路部１５に書き込まれる。
【００２３】
以上のように上記実施形態では、１フレーム周期における素材データの伝送路ＮＷへの送出に先立ち、フレームデータ抽出部１２で得られたフレームデータをフレームデータパッキング処理部１３によりバッファ１３１に一時保持し、１フレーム周期ごとにバッファ１３１が満杯になるか否かを判定し、満杯になった時点で、バッファ１３１内の１フレームとフレームデータの一部もしくは複数フレームを結合して一固まりのデータとして伝送路ＮＷに送出し、フレーム切り出し・再結合処理部１４にて伝送路ＮＷからのデータをフレーム単位で切り出してフレームごとにメモリ回路部１５に書き込むようにしている。
【００２４】
従って、１フレーム周期内に１フレーム以上のデータをメモリ回路部１５に書き込むことができ、その結果データ転送時間を短縮することができる。例えば１フレーム周期内にメモリ回路部１５に転送できる最大データサイズが１ＭＢで、平均フレームサイズが４００ＫＢで１０００フレームからなる映像データを収録する場合、従来の装置では収録に１０００フレーム周期の時間を要したが、本発明では４００フレーム周期の時間で収録が完了する。
【００２５】
なお、上記実施形態では、バッファ１３１が満杯になった場合に、バッファ１３１内のデータを伝送路ＮＷに転送する例について説明したが、１フレーム周期ごとにバッファ１３１に保持されるデータ量が１フレームを超える所定量に達したか否かを判定し、達した時点で、バッファ１３１内のデータを伝送路ＮＷに転送するようにしてもよい。
【００２６】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２７】
【図１】この発明に係る素材収録装置の一実施形態を示すブロック図。
【図２】以前に考えられた収録装置を示すブロック図。
【図３】同実施形態におけるフレームデータのパッキング処理を説明するために示すタイミング図。
【図４】同実施形態におけるフレームデータパッキング処理部のパッキング処理手順を示すフローチャート。
【符号の説明】
【００２８】
１１…映像・音声データ入力部、１２…フレームデータ抽出部、１３…フレームデータパッキング処理部、１４…フレーム切り出し・再結合処理部、１５…メモリ回路部、１６…フレーム同期回路、１３１…バッファ、ＮＷ…伝送路。
【図１】
2009130402.tif 000003
【図２】
2009130402.tif 000004
【図３】
2009130402.tif 000005
【図４】
2009130402.tif 000006